【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
（Ａ）バッキング基質；ならびに
（Ｂ）前記バッキング基質上に堆積された感圧接着剤組成物であって、前記感圧接着剤組成物が
（ｉ）少なくとも１つのエポキシ化植物油；と
（ｉｉ）ダイマー酸もしくはその無水物、トリマー酸もしくはその無水物、重合脂肪酸もしくはその無水物、またはこれらの混合物
とを直接反応させてなる反応生成物を含む、感圧接着剤組成物
を含む、感圧接着剤構造体。
【請求項２】
（Ａ）バッキング基質；ならびに
（Ｂ）前記バッキング基質上に堆積された感圧接着剤組成物であって、前記感圧接着剤組成物が
（ｉ）少なくとも１つのエポキシ化植物油；および
（ｉｉ）プレポリマーもしくはオリゴマーの両鎖端がカルボン酸基でキャップされたプレポリマーもしくはオリゴマー、またはプレポリマーもしくはオリゴマーの分岐および鎖端の少なくとも２つがカルボン酸基でキャップされた分岐プレポリマーもしくはオリゴマーであって、前記カルボン酸キャッププレポリマーまたはカルボン酸キャップオリゴマーが（ａ）過剰な二塩基性酸を（ｂ）少なくとも２つのエポキシ基を有するグリシジルもしくはエポキシ化化合物、またはこれらの組み合わせと反応させてなる、プレポリマーまたはオリゴマー
からなる生成物を含む、感圧接着剤組成物
を含む、感圧接着剤構造体。
【請求項３】
（ｉｉ）がダイマー酸を含む、請求項１に記載の構造体。
【請求項４】
前記ダイマー酸が分子当たり平均２つのカルボン酸基を有する、請求項３に記載の構造体。
【請求項５】
前記ダイマー酸がオレイン酸および／またはリノール酸のダイマーである、請求項１、３または４のいずれか１項に記載の構造体。
【請求項６】
成分（ｉｉ）がトリマー酸を含む、請求項１に記載の構造体。
【請求項７】
成分（ｉｉ）が重合脂肪酸を含む、請求項１に記載の構造体。
【請求項８】
前記エポキシ化植物油がエポキシ化大豆油である、請求項１、４、６、または７のいずれか１項に記載の構造体。
【請求項９】
前記エポキシ化植物油を一塩基性酸またはその無水物と反応させ、その後成分（ｉｉ）と反応させる変性エポキシ化植物油を生成する、請求項１〜８のいずれか１項に記載の構造体。
【請求項１０】
前記二塩基性酸がダイマー酸を含む、請求項２に記載の構造体。
【請求項１１】
前記二塩基性酸がセバシン酸を含む、請求項２に記載の構造体。
【請求項１２】
前記二塩基性酸をジグリシジルエーテルと反応させる、請求項２、１０または１１のいずれか１項に記載の構造体。
【請求項１３】
前記感圧接着剤組成物が（ｉ）および（ｉｉ）の反応生成物であるポリマーを含む、請求項２に記載の構造体。
【請求項１４】
（ｉ）少なくとも１つのエポキシ化植物油を（ｉｉ）ダイマー酸もしくはその無水物、トリマー酸もしくはその無水物、重合脂肪酸もしくはその無水物、またはこれらの混合物と直接反応させるステップ；および
バッキング基質上に得られた反応生成物から感圧接着剤を形成するステップ
を含む、感圧接着剤構造体の製造方法。
【請求項１５】
前記方法が
前記エポキシ化植物油を成分（ｉｉ）とまず反応させ、プレポリマー生成物を生成するステップ；
前記プレポリマー生成物をバッキング基質または剥離ライナー上に塗布するステップ；および
前記プレポリマー生成物をさらに反応させ、前記感圧接着剤組成物を生成するステップ
を含む、請求項１４に記載の方法。
【請求項１６】
前記エポキシ化植物油を成分（ｉｉ）とまず反応させるステップが前記エポキシ化植物油および成分（ｉｉ）の混合物の３０〜３００℃の温度での加熱を含む、請求項１５に記載の方法。
【請求項１７】
前記プレポリマー生成物をさらに反応させるステップは前記バッキング基質上に堆積させた前記プレポリマー生成物の１００〜３００℃の温度での加熱を含む、請求項１５または１６に記載の方法。
【請求項１８】
前記エポキシ化植物油を少なくとも１つの一塩基性酸または無水物とまず反応させ、変性エポキシ化植物油をもたらし；前記変性エポキシ化植物油を成分（ｉｉ）と反応させる、請求項１４〜１６のいずれか１項に記載の方法。
【請求項１９】
前記エポキシ化植物油と反応させる成分（ｉｉ）の量が成分（ｉｉ）カルボン酸基のエポキシ化植物油エポキシ基に対するモル比で３：１〜１：３である、請求項１４〜１６のいずれか１項に記載の方法。
【請求項２０】
エポキシ化植物油と反応させる一塩基性酸または無水物の量が前記変性エポキシ化植物油１モル当たり１．５〜６のエポキシ基を残すのに十分である、請求項１８に記載の方法。
【請求項２１】
成分（ｉ）および（ｉｉ）のみが前記感圧接着剤を形成するためのポリマー形成反応物質である、請求項１４に記載の方法。
【請求項２２】
成分（ｉｉ）または他の二塩基性酸を作用剤と反応させ、プレポリマーもしくはオリゴマーの両鎖端がカルボン酸基でキャップされたプレポリマーもしくはオリゴマー、または分岐および鎖端の少なくとも２つがカルボン酸基でキャップされた分岐プレポリマーもしくはオリゴマーをもたらすステップ、およびその後前記カルボン酸キャッププレポリマーまたはカルボン酸キャップオリゴマーを前記エポキシ化植物油と反応させるステップをさらに含む、請求項１４に記載の方法。
【請求項２３】
成分（ｉｉ）がダイマー酸を含む、請求項１４、１５または２２のいずれか１項に記載の方法。
【請求項２４】
（ａ）少なくとも１つのエポキシ化植物油を少なくとも１つの一塩基性酸またはその無水物と反応させ、変性エポキシ化植物油をもたらすステップ；および
（ｂ）前記変性エポキシ化植物油をダイマー酸もしくはその無水物、トリマー酸もしくはその無水物、重合脂肪酸もしくはその無水物、またはこれらの混合物と反応させ、感圧接着剤組成物を生成するステップ
を含む、感圧接着剤組成物の生成方法。
【請求項２５】
（ｉ）少なくとも１つのエポキシ化植物油を（ｉｉ）ダイマー酸もしくはその無水物、トリマー酸もしくはその無水物、重合脂肪酸もしくはその無水物、またはこれらの混合物と直接反応させ、感圧接着剤組成物を生成するステップであって、前記エポキシ化植物油と反応させる成分（ｉｉ）の量が成分（ｉｉ）中のカルボキシル基の成分（ｉ）中のエポキシ基に対するモル比で３：１〜１：３である、ステップ
を含む、感圧接着剤組成物の生成方法。
【請求項２６】
（ａ）（ｉ）二塩基性酸を（ｉｉ）少なくとも１つのジグリシジルエーテルと反応させ、プレポリマーもしくはオリゴマーの両鎖端がカルボン酸基でキャップされたプレポリマーもしくはオリゴマー、またはプレポリマーもしくはオリゴマーの分岐およびプレポリマーもしくはオリゴマーの鎖端の少なくとも２つがカルボン酸基でキャップされた分岐プレポリマーもしくはオリゴマーをもたらすステップ；ならびに
（ｂ）少なくとも１つのエポキシ化植物油を前記カルボン酸キャッププレポリマーまたはカルボン酸キャップオリゴマーと反応させ、感圧接着剤組成物を生成するステップ
を含む、感圧接着剤組成物の生成方法。
【請求項２７】
前記二塩基性酸がダイマー酸を含む、請求項２６に記載の方法。
【請求項２８】
前記二塩基性酸がセバシン酸を含む、請求項２６に記載の方法。
【請求項２９】
（Ａ）バッキング基質；ならびに
（Ｂ）前記バッキング基質上に堆積された感圧接着剤組成物であって、前記感圧接着剤組成物が
（ｉ）少なくとも１つのエポキシ化植物油；および
（ｉｉ）ダイマー酸もしくはその無水物、トリマー酸もしくはその無水物、重合脂肪酸もしくはその無水物、またはこれらの混合物
からなる生成物を含み、前記エポキシ化植物油が一塩基性酸またはその無水物と反応し、その後成分（ｉｉ）と反応する変性エポキシ化植物油を生成する、感圧接着剤構造体。
【請求項３０】
少なくとも１つのエポキシ化植物油を少なくとも１つの一塩基性酸またはその無水物とまず反応させ、変性エポキシ化植物油をもたらすステップ；
前記（ｉ）変性エポキシ化植物油を（ｉｉ）ダイマー酸もしくはその無水物、トリマー酸もしくはその無水物、重合脂肪酸もしくはその無水物、またはこれらの混合物と反応させるステップ；および
バッキング基質上に得られた反応生成物から感圧接着剤を形成するステップ
を含む、感圧接着剤構造体の生成方法。